(57)【要約】      （修正有）【課題】背負ったときの密着感がより良好なバッグを提供する。【解決手段】バッグ本体１と、一対のストラップ２がネック部を介して繋がれてなるショルダーストラップ４とを備えたバッグ１００であって、ショルダーストラップ４のネック部がバッグ本体１の上部に縫着されて取り付けられ、一対のストラップ２の端部がバッグ本体１の下部にバックルや帯状体によって接続されており、ネック部の上面を構成する素材の少なくとも一部に、伸縮性を有するシート材が用いられているようにした。【選択図】図１
0003224727.tif 000002
【実用新案登録請求の範囲】
【請求項１】
バッグ本体と、一対のストラップがネック部を介して繋がれてなるショルダーストラップと、を備えたバッグであって、
前記ショルダーストラップの前記ネック部が前記バッグ本体の上部に取り付けられ、前記一対のストラップの端部が前記バッグ本体の下部に接続されており、
前記ネック部の上面を構成する素材の少なくとも一部には、伸縮性を有するシート材が用いられていることを特徴とするバッグ。
【請求項２】
前記ネック部の外側の縁は、伸縮性を有するテープ材によって縁取られていることを特徴とする請求項１に記載のバッグ。
【請求項３】
前記ネック部の内側の縁は、伸縮性を有していないテープ材によって縁取られていることを特徴とする請求項１又は２に記載のバッグ。
【請求項４】
前記ネック部と前記一対のストラップの境界部分と、前記バッグ本体の上部との間の距離を調整するネック部調整手段が設けられていることを特徴とする請求項１〜３のいずれか一項に記載のバッグ。 
【考案の詳細な説明】
【技術分野】
【０００１】
本考案は、バッグに関し、特にストラップを備えたリュックサック形状のバッグに関するものである。
【背景技術】
【０００２】
従来、登山やハイキングに用いるバッグとして、ストラップを備えたリュックサック形状のバッグが知られている。このようなリュックサック形状のバッグにおいては、人体への密着感及び背負ったときの安定感が重視され、種々のストラップ構造を有するバッグが提案されている（例えば、特許文献１参照。）。
【先行技術文献】
【特許文献】
【０００３】
【特許文献１】特開２００２−３３６０４７号公報
【考案の概要】
【考案が解決しようとする課題】
【０００４】
しかしながら、上記特許文献１のバッグであっても、背負って歩くときに密着感が損なわれることがあった。
【０００５】
本考案の目的は、背負ったときの密着感がより良好なバッグを提供することである。
【課題を解決するための手段】
【０００６】
上記目的を達成するため、この考案は、
バッグ本体と、一対のストラップがネック部を介して繋がれてなるショルダーストラップと、を備えたバッグであって、
前記ショルダーストラップの前記ネック部が前記バッグ本体の上部に取り付けられ、前記一対のストラップの端部が前記バッグ本体の下部に接続されており、
前記ネック部の上面を構成する素材の少なくとも一部には、伸縮性を有するシート材が用いられていることを特徴とする。
【０００７】
請求項２に記載の考案は、請求項１に記載のバッグにおいて、
前記ネック部の外側の縁は、伸縮性を有するテープ材によって縁取られていることを特徴とする。
【０００８】
請求項３に記載の考案は、請求項１又は２に記載のバッグにおいて、
前記ネック部の内側の縁は、伸縮性を有していないテープ材によって縁取られていることを特徴とする。
【０００９】
請求項４に記載の考案は、請求項１〜３のいずれか一項に記載のバッグにおいて、
前記ネック部と前記一対のストラップの境界部分と、前記バッグ本体の上部との間の距離を調整するネック部調整手段が設けられていることを特徴とする。
【考案の効果】
【００１０】
本考案によれば、背負ったときの密着感がより良好なバッグを提供することができる。
【図面の簡単な説明】
【００１１】
【図１】本考案に係るバッグの背面図である。
【考案を実施するための形態】
【００１２】
以下、図面を参照して、本考案に係るバッグの実施形態について詳細に説明する。
【００１３】
本実施形態のバッグ１００は、バッグ本体１に２本のストラップ２，２を備えたリュックサック形状のバッグであり、登山やハイキングに用いる背負袋のほか、ラケットなどのスポーツ用品を収納するバッグとして使用することが可能なものである。
具体的には、このバッグ１００は、バッグ本体１と、一対のストラップ２，２がネック部３を介して繋がれてなるショルダーストラップ４を備えている。
ショルダーストラップ４の両端側が一対のストラップ２，２であり、ショルダーストラップ４の中間部分がネック部３である。
このショルダーストラップ４におけるネック部３がバッグ本体１の上部に縫着されて取り付けられ、一対のストラップ２，２の端部がそれぞれバッグ本体１の下部に接続されている。
なお、ショルダーストラップ４のネック部３は、人体の肩や首の後ろ側に当たる部分である。
【００１４】
バッグ本体１は、ファスナーなどで開閉が可能な開口を有する袋体であり、その内部に各種物品を収納することができる。
【００１５】
ショルダーストラップ４は、一対のストラップ２，２とネック部３が一体的に形成されてなる略Ｕ字形状を呈するパーツであり、緩衝材としての略Ｕ字形状のスポンジをナイロン生地などで覆うことによって形成されている。
また、ショルダーストラップ４の内縁と外縁はそれぞれナイロン製のテープ材などで縁取られている。なお、ショルダーストラップ４の内縁（内側の縁）は人体の首に当たる側であって人体の前面側に配される縁であり、ショルダーストラップ４の外縁（外側の縁）は人体の腕の付け根から脇に当たる側の縁である。
特に、ショルダーストラップ４におけるネック部３の上面３ａを構成する素材には、伸縮性を有するシート材が用いられている。伸縮性を有するシート材としては、例えば、クロロプレンゴム製のシート（ネオプレン（登録商標））や、パワーメッシュシートなどを用いることができる。
また、ネック部３の外側の縁３ｂは、伸縮性を有するテープ材によって縁取られている。一方、ネック部３の内側の縁は、伸縮性を有していないテープ材によって縁取られている。
このようにネック部３の上面３ａと外側の縁３ｂが伸縮性を有する素材からなることで、ショルダーストラップ４におけるネック部３が伸縮性を有するようになって、ネック部３の人体への密着性が向上する。
【００１６】
一対のストラップ２，２の端部にはそれぞれ下部バックル２ａが取り付けられている。
また、バッグ本体１の下部の両側にはそれぞれ帯状体１ａが縫着されている。
この帯状体１ａを下部バックル２ａに通して、ストラップ２とバッグ本体１を接続している。
なお、帯状体１ａを下部バックル２ａに通す長さを調整することで、人体へのショルダーストラップ４の密着度を調整することができる。
【００１７】
また、バッグ本体１の上部の両側にはそれぞれ上部バックル１ｂが取り付けられている。
また、ショルダーストラップ４におけるネック部３と一対のストラップ２，２の境界部分５にはネック部調整用帯状体５ａが縫着されている。
このネック部調整用帯状体５ａを上部バックル１ｂに通す長さを調整することで、ネック部３と一対のストラップ２，２の境界部分５と、バッグ本体１の上部との間の距離を調整することができる。
つまり、ネック部調整用帯状体５ａと上部バックル１ｂがネック部調整手段として機能するようになっている。
【００１８】
また、一対のストラップ２，２の上面に設けられているガイド帯２ｂ、２ｂには、ガイド帯２ｂ、２ｂに沿ってスライド移動可能に胴体用ストラップ６が設けられている。
この胴体用ストラップ６によって、一対のストラップ２，２を人体の前面（胸や腹の前）で近接させたり離間させたりする調整を行うことができる。なお、胴体用ストラップ６の構成や機能は従来公知のものと同様であるので、ここでは詳述しない。
【００１９】
以上のように、本実施形態のバッグ１は、バッグ本体１に２本のストラップ２，２を備えたリュックサック形状のバッグであり、左右のストラップ２とバッグ本体１の間にユーザーの腕をそれぞれ通すようにして背負うことができる。
そして、このバッグ１のショルダーストラップ４におけるネック部３の上面３ａとネック部３の外側の縁３ｂに伸縮性を有する素材を用いたことで、ネック部３が僅かに伸縮するようになっており、バッグ１を背負っている人体の揺れに対しバッグ１が追従し易くなっているので、バッグ１を背負ったときの密着感がより良好になる。
特に、ネック部３全体に伸縮性を付与するのではなく、ネック部３の上面３ａと外側の縁３ｂに伸縮性を付与したことで、ネック部３が単に伸びるのではなく、バッグ１を背負っている人体の揺れを吸収するクッション性を向上させる適度な伸縮が得られるようになっているので、バッグ１を背負っているときの密着感や安定感がより良好になる。
【００２０】
また、このバッグ１であれば、ネック部調整手段としてのネック部調整用帯状体５ａと上部バックル１ｂとによって、ネック部３と一対のストラップ２，２の境界部分５と、バッグ本体１の上部との間の距離を調整することができ、その調整によってネック部３の伸縮性、クッション性を調整することができる。
具体的には、その境界部分５とバッグ本体１の上部との間の距離を短くする（縮める）ように調整すれば、ネック部３の伸縮性やクッション性を抑える調整ができる。
【００２１】
このように、本実施形態のバッグ１であれば、バッグ１を背負ったときの密着感や安定間が良好であり、好適に使用することができる。
【００２２】
なお、本発明の適用は上述した実施形態に限定されることなく、本発明の趣旨を逸脱しない範囲で適宜変更可能である。
【符号の説明】
【００２３】
１      バッグ本体
１ａ    帯状体
１ｂ    上部バックル
２      ストラップ（一対のストラップ）
２ａ    下部バックル
２ｂ    ガイド帯
３      ネック部
３ａ    上面（ネック部の上面）
３ｂ    縁（ネック部の外側の縁）
４      ショルダーストラップ
５      境界部分
５ａ    ネック部調整用帯状体
６      胴体用ストラップ
１００  バッグ
【図１】
0003224727.tif 000003